(57)【特許請求の範囲】
【請求項１】
エンジンの排気マニホルドの下流側に接続される排気管を、内管と中管とで内外二重に形成すると共に、その中管の外周にそれと略同心状に保温用の外管を設けて、その外管と上記中管との間の略全長にわたって断熱用の空間を形成し、上記内管の排気マニホルド側の端部を除く略全長を横断面略円形に形成して上記中管内の一側方に偏心させて溶接等で一体的に固着すると共に、上記内管の排気マニホルド側の端部を略半円形に形成して、その半円弧状の端部周面を、横断面略円形の中管の排気マニホルド側の端部内面に密着固定したことを特徴とする車両用エンジンの排気装置。
【請求項２】
前記内管内の横断面積を、その内管と前記中管との間の空間の横断面積と略同等もしくはやや小さく形成してなる請求項１記載の車両用エンジンの排気装置。
【発明の詳細な説明】
【０００１】
【産業上の利用分野】
本発明は自動車等の車両用エンジンの排気装置、特に多気筒エンジンの排気装置に関する。
【０００２】
【従来の技術】
上記のような排気装置は、一般にエンジンの排気マニホルドに、いわゆるフロントパイプと称する排気管を接続し、その排気管の下流側に、排気ガスを浄化するための触媒コンバータや消音用のマフラ等を接続した構成である。この場合、多気筒エンジンにあっては排気マニホルドから直接１本の排気管に合流させると、エンジンにバックプレッシャが掛かって出力が低下するため、排気管を気筒数に対応して複数本設けたり、あるいは各気筒からの排気のうち互いに干渉するおそれの少ない排気をマニホルド内で合流させて複数本の排気管に導いたのち１本の排気管に合流させる等の方法が採られている。
【０００３】
例えば４気筒のエンジンにおいては、その４つの気筒からの排気のうち、互いに干渉するおそれの少ない２気筒ずつをマニホルド内で合流させて２本の排気管に導き、その２本の排気管を１本の排気管に合流させて触媒コンバータやマフラに導くようにしている。
【０００４】
ところが、上記のように排気管を複数本並べて配置するものは、大きな設置スペースを必要とし、自動車等の車両用エンジンの排気装置にあっては、車体底部の限られた空間内に設置するのが困難である場合が少なくない。しかも、表面積が大きいため、下流に設置する触媒コンバータに至るまでに排気温度が低下して排気浄化性能が低下する等の不具合がある。
【０００５】
そこで、例えば排気マニホルドから触媒コンバータに至る排気管内を仕切板で仕切ったり、あるいは排気管自体を断面Ｓ字状に形成することによって、１つの排気管内に複数個の排気通路を形成することが提案されている（例えば実開昭６３−１９６４２５号、特開平９−２６４１２８号公報参照）。
【０００６】
【発明が解決しようとする課題】
しかしながら、前者のように排気管内を仕切板で仕切るものは、例えば図４および図５に示すように仕切板５１の幅方向両端部５１ａ・５１ｂを互いに反対方向に折り曲げて排気管の内面に溶接等で固着するのが一般的であり、図４・図５の場合は排気管５０を内外二重に形成し、その内管５２の内面に仕切板５１の両端折曲部５１ａ・５１ｂを溶接している。この場合、上記仕切板５１は図５に示すように左右非対称であるため安定性が悪く、溶接時はその不安定な状態で排気管内に治具等を挿入して溶接しなけらばならないので作業性が悪い等の不具合がある。
【０００７】
しかも上記のような車両用の排気管は、車体への配置形状等に合わせて適宜屈曲形成するもので、その曲げ加工は上記仕切板等を予め排気管内に装填した状態で行うのが一般的である。その場合、上記仕切板の厚さ方向への曲げ加工は比較的容易であるが、板面方向への曲げ加工は難しく、往々にして仕切板の曲げ方向内側には、しわが発生したり、曲げ方向外側には板材が延びきれずに亀裂が生じたり、溶接箇所が剥離する等のおそれがある。そのため、歩留まりが悪く、また曲げ角度にも制約が多い等の問題がある。
【０００８】
さらに前記のように板材を断面Ｓ字状に屈曲させて複数個の排気通路を形成するものは、その成形作業が面倒であると共に、そのＳ字状板材の両端部を溶接等で固着する必要があり、製作に多大な時間と労力を要する。また上記いずれの場合にも溶接箇所に往々にして隙間が生じて排気洩れが生じたり、消音性能が低下する等の問題があった。
【０００９】
本発明は上記従来の問題点に鑑みて提案されたもので、構造簡単かつ製作が容易で、しかも排気洩れ等の生じるおそれの少ない排気装置を提供することを目的とする。
【００１０】
【課題を解決するための手段】
上記目的を達成するために、本発明による車両用エンジンの排気装置は、以下の構成としたものである。
【００１１】
即ち、エンジンの排気マニホルドの下流側に接続される排気管を、内管と中管とで内外二重に形成すると共に、その中管の外周にそれと略同心状に保温用の外管を設けて、その外管と上記中管との間の略全長にわたって断熱用の空間を形成し、上記内管の排気マニホルド側の端部を除く略全長を横断面略円形に形成して上記中管内の一側方に偏心させて溶接等で一体的に固着すると共に、上記内管の排気マニホルド側の端部を略半円形に形成して、その半円弧状の端部周面を、横断面略円形の中管の排気マニホルド側の端部内面に密着固定したことを特徴とする。
【００１２】
【発明の実施の形態】
以下、本発明による車両用エンジンの排気装置を、図に示す実施形態に基づいて具体的に説明する。
【００１３】
図１は本発明による排気装置の一実施形態を示す縦断面図、図２はその一部の拡大図、図３（ａ）および（ｂ）はそれぞれ図２におけるＡ−ＡおよびＢ−Ｂ線断面図である。
【００１４】
図示例の排気装置は、排気管１０を内管１１と中管１２とで内外二重に形成すると共に、その中管１２の外周にそれと略同心状に保温用の外管１３を設けたものである。その外管１３と中管１２との間には略全長にわたって断熱用の空間Ｇが形成され、それによって図に省略した触媒コンバータに至るまでに排気温度が低下するのを極力防止するようにしている。その空間Ｇ内には断熱材等を充填することもある。
【００１５】
上記内管１１は、図２および図３（ｂ）に示すように、その長手方向略全長にわたって中管１２の一側方に偏心させて密着させた状態で溶接等により一体的に固着されている。なお上記管１１〜１３の曲げ加工を行う際には、例えば曲げ加工前の直線状態で内管１１の長手方向略全長にわたって中管１２の一側方に偏心させ、内管１１を簡易治具等で中管１２の内面に押し付け密着させた状態でレーザー溶接やシーム溶接等により一体的に固着し、その後、中管１２の外周に外管１３を嵌合固着して曲げ加工を施す。
【００１６】
上記内管１１内の横断面積Ｐと、内管１１と中管１２との間の横断面積Ｑとは略等しく形成するか、あるいは横断面積Ｐの方がＱよりもやや小さめになるようにするとよい。その横断面積ＰをＱよりもやや小さめに形成するのは、両横断面積Ｐ、Ｑがたとえ同じであっても、横断面積Ｐ側の流路、すなわち図３(ｂ)における内管１１内の略円形の流路の方が、横断面積Ｑ側の流路、すなわち内管１１と中管１２との間の略三日月形の流路よりも抵抗が小さくて流れがよく、単位面積当たりの流量が増すためであり、その流量があまり問題にならない場合は上記の横断面積Ｐ・Ｑは同等でよいが、問題になる場合には横断面積ＰはＱよりもやや小さめになるようにするとよい。
【００１７】
また内管１１の排気マニホルドＭ側の端部１１ａは、図３（ａ）に示すように略半円形に形成され、その半円弧状の周面は、円形に形成した中管１２の排気マニホルドＭ側の端部１２ａの内面に密着固定されている。その半円弧状の内管１１内を除く中管１２の端部内空には、上記内管１１の半円形端部１１ａと略等しい面積の半円形の排気通路Ｓが形成されている。
【００１８】
その半円形の排気通路Ｓと上記内管１１の半円形端部１１ａとを排気マニホルドＭを介して図に省略したエンジンに連通接続する。図の実施形態は４気筒エンジンに適用したもので、その４つの気筒からの排気のうち互いに干渉等のおそれの少ない２つの気筒からの排気を上記半円形の内管１１内に導き、残り２つの気筒からの排気を上記中管１２内の半円形排気通路Ｓ内に導入する構成である。
【００１９】
図中、Ｍ１および１４は上記マニホルドＭと排気管１０との接続用フランジ、１５は排気管１０の下流側端部に設けた触媒コンバータ（不図示）との接続用フランジで、その触媒コンバータの下流側には更にマフラ等が接続されるが図には省略した。また内管１１の排気マニホルドＭと反対側の端部１１ｂは、本実施形態においては図１に示すように中管１２の下流側端部よりも上流側で開口させているが、中管１２の下流側端部まで延長してもよい。
【００２０】
なお上記実施形態においては、図に省略したエンジンから触媒コンバータに至るまでに排気温度が低下するのを極力防止するために排気管１０の外周に保温用の外管１３を設けたものである。
【００２１】
【実施例】
本発明による具体的な実施例として上記実施形態に対応する排気装置を実際に作成すると共に、その比較例として前記従来の排気管内を仕切板で仕切った排気装置を作成して排気流量等の比較を行った。
【００２２】
〔実施例１〕
内管１１として外径４２．７ｍｍ、板厚０．６ｍｍのステンレス管を、また中管１２として外径６０．５ｍｍ、板厚０．６ｍｍのステンレス管をそれぞれ用い、外管１３を省略した以外は前記図１〜図３と同様の構成の排気管１０を作成した。
【００２３】
〔比較例１〕
上記実施例１に対する比較例として図４に示すように上記中管１２と同様に外径６０．５ｍｍ、板厚０．６ｍｍのステンレス管よりなる中管５２内に、板厚１．２ｍｍのステンレス板よりなる仕切板５１を挿入し、その幅方向両端部を略Ｌ字状に屈曲させて溶接Ｗ１・Ｗ２により固着して排気管５０を作成した。
【００２４】
上記実施例１で作成した排気管１０と比較例１の排気管５０に、それぞれ２００ｍｍＨ２Ｏ、４００ｍｍＨ２Ｏ、６００ｍｍＨ２Ｏ、８００ｍｍＨ２Ｏの背圧で排
気を導入し、各排気管１０・５０の下流側端部１０ｂ・５０ｂでの流量を測定した。その結果を下記表１に示す。
【００２５】
0004169386.tif 000002
0004169386.tif 000003
0004169386.tif 000004
【００２６】
上記の表からも明らかなように本発明による実施例１の排気管１０は、いずれの背圧においても従来の比較例１の排気管５０よりも高い流量が得られ、エンジンへのバックプレッシャーが少ないことが分かった。
【００２７】
【発明の効果】
以上説明したように本発明による車両用エンジンの排気装置は、エンジンの排気マニホルドＭの下流側に接続される排気管１０を、内管１１と中管１２とで内外二重に形成すると共に、その中管１２の外周にそれと略同心状に保温用の外管１３を設けて、その外管１３と上記中管１２との間の略全長にわたって断熱用の空間Ｇを形成し、上記内管１１の排気マニホルド側の端部を除く略全長を横断面略円形に形成して上記中管１２内の一側方に偏心させて溶接等で一体的に固着すると共に、上記内管１１の排気マニホルド側の端部を略半円形に形成して、その半円弧状の端部周面を、横断面略円形の中管の排気マニホルド側の端部内面に密着固定したから、前記従来のように排気管内を仕切板で仕切ったり、板材を断面Ｓ字状に屈曲形成して排気管を構成するものに比べ、溶接加工・曲げ加工等製作が容易であり、しかも溶接箇所に隙間が生じて排気洩れが生じたり、消音性能が低下する等の従来技術の問題点を良好に解消できる等の効果がある。
【図面の簡単な説明】
【図１】本発明による車両用エンジンの排気装置の一実施形態を示す縦断面図。
【図２】上記排気装置の一部の拡大図。
【図３】（ａ）および（ｂ）は図２におけるＡ−ＡおよびＢ−Ｂ線断面図。
【図４】従来の排気装置の一例を示す縦断面図。
【図５】図４におけるＣ−Ｃ線拡大断面図。
【符号の説明】
１０  排気管
１１  内管
１２  中管
１３  外管
Ｍ  マニホルド
【図１】
0004169386.tif 000005
【図２】
0004169386.tif 000006
【図３】
0004169386.tif 000007
【図４】
0004169386.tif 000008
【図５】
0004169386.tif 000009